(57)【要約】【課題】弦楽器のスライド奏法に用いられるスライドバーを、通常の演奏時からスライド奏法への移行およびスライド奏法から通常の演奏への移行を迅速に行えるようにすることを課題とする。【解決手段】弦楽器用スライドバーとして、対象となる弦楽器の弦に接触する接触縁を有するスライドバー本体と、前記スライドバー本体を固定するとともに、親指の基節若しくは末節に係合し固定できる親指係合手段とを有する構成により、スライドバー本体が、親指係合手段により親指の基節もしくは末節に固定されることで、親指を曲げることができるので通常奏法を容易に行え、スライド奏法に移行する際には、親指に固定されるスライドバー本体を弦に接触させるようにするだけでスライド奏法に移行することができる。【選択図】  図１
2008096643.tif 000002
【特許請求の範囲】
【請求項１】
対象となる弦楽器の弦に接触する接触縁を有するスライドバー本体と、
前記スライドバー本体を固定するとともに、親指の基節若しくは末節に係合し固定できる親指係合手段と
を有する弦楽器用スライドバー。
【請求項２】
前記スライドバー本体は、前記親指係合手段を親指に係合させた状態において、係合する指節と正面からみてほぼ平行な状態となるように前記親指係合手段に固定される請求項１に記載の弦楽器用スライドバー。
【請求項３】
前記スライドバー本体は親指係合手段に着脱可能に固定される請求項１又は２に記載の弦楽器用スライドバー。
【請求項４】
前記親指係合手段は、伸縮性のある帯体をリング状に形成したものである請求項１から３のいずれか１項に記載の弦楽器用スライドバー。
【請求項５】
前記親指係合手段は、帯体により構成され、当該帯体の端部同士は係脱可能に形成されるとともに、係合位置を変更することができる請求項１から４のいずれか１項に記載の弦楽器用スライドバー。
【発明の詳細な説明】
【技術分野】
【０００１】
本発明はギターなどの弦楽器において、スライド奏法を行う際に用いられるスライドバーに関する。
【背景技術】
【０００２】
ギターなどの弦楽器で用いられるスライド奏法は、小指や薬指に金属製又はガラス製の円筒体からなるスライドバーを嵌め、これを弦の上方に接触させてスライドさせることで音程を滑らかに変化させる奏法である。
【発明の開示】
【発明が解決しようとする課題】
【０００３】
ところで、スライドバーは、円筒体で装着した指全体を覆ってしまう形状であるため、スライド奏法で演奏するために一旦装着すると、曲の演奏中にその指を通常の奏法に用いることができず不便であった。また、反対に、通常の奏法による演奏中にスライド奏法に移行する場合には、スライドバーを装着するために演奏している指を止める必要があり、演奏中にスムーズにスライド奏法に移行することができなかった。
本発明は、かかる問題に鑑みて、弦楽器のスライド奏法に用いられるスライドバーを、通常の演奏時からスライド奏法への移行およびスライド奏法から通常の演奏への移行を迅速に行えるようにすることを課題とする。
【課題を解決するための手段】
【０００４】
上記課題を解決するために、本発明は次のような構成を有する。
請求項１に記載の発明は、対象となる弦楽器の弦に接触する接触縁を有するスライドバー本体と、前記スライドバー本体を固定するとともに、親指の基節若しくは末節に係合し固定できる親指係合手段とを有する弦楽器用スライドバーである。
請求項２に記載の発明は、前記弦楽器用スライドバーにおいて、前記スライドバー本体は、前記親指係合手段を親指に係合させた状態において、係合する指節と正面から見てほぼ平行な状態となるように前記親指係合手段に固定されるものである。なお、「正面からみてほぼ平行な状態」とは、指節の腹側から見た際に、ほぼ指節の方向とスライドバーの方向が一致することを意味する。
請求項３に記載の発明は、前記弦楽器用スライドバーにおいて、前記スライドバー本体は親指係合手段に着脱可能に固定されるものである。
請求項４に記載の発明は、前記弦楽器用スライドバーにおいて、前記親指係合手段は、伸縮性のある帯体をリング状に形成したものである。
請求項５に記載の発明は、前記弦楽器用スライドバーにおいて、前記親指係合手段は、帯体により構成され、当該帯体の端部同士は係脱可能に形成されるとともに、係合位置を変更することができるものである。
【発明の効果】
【０００５】
請求項１に記載の発明は、スライドバー本体が、親指係合手段により親指の基節もしくは末節に固定されることで、親指を曲げることができるので弦楽器のネックを持つことに支障がなく、また、他の指は開放されるので通常奏法が本弦楽器用スライドバーを装着したまま容易に行うことができる。そして、通常奏法からスライド奏法に移行する際には、弦を押さえる側の手を一旦ネックから離して、親指に固定されるスライドバー本体を弦に接触させるようにするだけでスライド奏法に移行することができ、スライド奏法から通常奏法への移行に際しては、逆の動作を行えば足りるので、迅速にスライド奏法と通常奏法の切り替えが可能となる。
請求項２に記載の発明は、親指に装着したスライドバーを弦に当接させる際、伸ばした親指を上方から下方もしくは下方から上方に向けると楽に演奏ができ、スライドバーが係合する指節と正面から見てほぼ平行な状態であることでスライドバーも伸ばした親指と正面から見てほぼ平行な状態になるので、楽にスライド奏法を行うことができる。
請求項３に記載の発明は、前記スライドバー本体は親指係合手段に着脱可能に固定されるので、使用者の好みに応じてデザインや機能の異なるスライドバー本体を適宜交換することができる。
請求項４に記載の発明は、親指係合手段を伸縮性のある帯体をリング状に形成したものとすることで、使用者の親指の太さに合わせて指の表面に密着するように固定でき、親指を曲げることで装着している指節の太さが変更しても容易に追従して内径を変化させることになるので装着感をよくすることができる。
請求項５に記載の発明は、親指係合手段を構成する帯体の端部同士の固定位置を変えることで、種々の大きさのリングを構成することができるので、使用者の指の太さに柔軟に対応し、固定することができる。
【発明を実施するための最良の形態】
【０００６】
以下、本発明の実施の形態について、図面を参照しながら説明する。
図１に本実施形態に係る弦楽器用スライドバーＸの斜視図を示し、図２に図１のＡ−Ａ断面図を示す。弦楽器用スライドバーＸは、金属の丸棒からなるスライドバー本体１０と、帯体からなる親指係合体２０とから構成される。親指係合体２０は、伸縮性を有するゴム紐を編んで形成されるベルト部２１と、ベルト部２１の一端側の表面に固定される面ファスナーの係合部２２ａと、ベルト部２１の他端側の裏面に固定される面ファスナーの被係合部２２ｂとから構成される。スライドバー本体１０は、ベルト部２１の長手方向にほぼ垂直になるように、一端側が接着剤によって固定されている。また、スライドバー本体１０は、ベルト部２１の面ファスナーの被係合部２２ｂが固定されている側に固定されており、このベルト部２１のスライドバー本体１０が固定されている部分から、面ファスナーの係合部２２ｂが固定されている部分にまでの、スライドバー本体１０が突出している側の縁部に弧状の切り欠き２１ａが設けられている。
【０００７】
次に、以上のような構成を有する弦楽器用スライドバーＸの使用方法について説明する。まず、使用者は、ネックを持つ手の親指の基節（親指の第一関節から付け根の間）に、面ファスナーの係合部２２ａが上面を向くようにベルト部２１の一端側を乗せて、ベルト部を親指を巻くように一周させ、面ファスナーの被係合部２２ｂと係合部２２ａが相対するところで、互いを係合させて、ベルト部２１をリング状として親指の基節に固定する。この際、スライドバー本体１０がベルト部２１から突出する方向が親指の指先方向に合致するようにする。ベルト部２１の適度に回してスライドバー本体１０の位置を調整して弦楽器用スライドバーＸの装着が完了する。通常は、スライドバー本体１０は親指のほぼ背面に位置する。なお、装着状態においてベルト部２１の切り欠き２１ａにより装着感を良くすることができる。
この状態で、通常の奏法を行う場合は、図３に示すように弦楽器用スライドバーＸはネックＮを支える親指の背面側にあり、また、親指係合体２０は親指の基節のみに係合しており親指を自由に曲げることができるので、演奏に支障は生じない。この状態からスライド奏法に移行するには、一端、ネックＮを持つ手を離して、図４（ａ）に示すようにネックＮの前面に上方から離した手の親指を下方に向けるようにしてスライドバー本体１０を弦に当接させるか、図４（ｂ）に示すようにネックＮの前面に下方から離した手の親指を上方に向けるようにしてスライドバー本体１０を弦に当接させればよい。また、通常の奏法に戻るには、図４（ａ）または（ｂ）のような状態から、図３の状態に戻ればよい。
このように、本発明に弦楽器用スライドバーＸを用いれば通常奏法とスライド奏法の移行が、手のポジションを変更するだけで完了するので、迅速に移行が可能であり、演奏の途中でもスムーズに両奏法の切り替えが可能となる。
【０００８】
なお、上記実施形態ではスライドバー本体１０を丸棒にて構成しているが、これは、図５（ａ）に示すようスライドバー本体１０Ｘのように丸パイプにより構成してもよく、図５（ｂ）に示すスライドバー本体１０Ｙのように、表面を湾曲させた板体により構成してもよい。即ち、ライドバー本体１０は、対象となる弦楽器の現に接触しうる当接縁を有するものであればどのような形状でも採用することができる。また、図５（ｂ）のスライドバー本体１０Ｙはやや上方に向って傾斜しているが、このように、親指係合部２０に対して適宜角度を設けることもできる。この場合でも正面からみて親指と平行になるようにすることが望ましい。
また、親指係合部２０は面ファスナーにより両端を固定するようにしているが、図５（ｃ）に示す親指係合部２０Ｘように、ベルト金具を用いて両端を固定するようにしてもよい。また、親指係合部２０を伸縮性のベルトで構成するのであれば、当初からリング状に形成していてもよい。
さらに、スライドバー本体１０は図５（ｃ）に示すようにベルト体の表面から浮いた位置に固定するようにすることもできる。
また、上記実施形態では、親指の基節に親指係合部２０を固定するようにしているが、親指の末節（親指の第一関節から先端までの間）に固定するようにしてもよい。
そして、上記実施形態においては、スライドバー本体１０は親指係合部２０に完全に固定されているが、これは着脱可能に形成してもよい。例えば、図６（ａ）（ｂ）に示すように、スライドバー１０Ｖに、係合アダプタ１０ａを設けるとともに、親指係合部２０表面に係合アダプタ１０ａに係合してこれを固定する被係合アダプタ１０ｂを設けるようにしてもよい。図に示す係合アダプタ１０ａは雄ネジにより形成され、被係合アダプタ１０ｂはこれに係合する雌ネジにより形成されているが、着脱可能にするための手段はこれに限られず種々の手段を採用することができる。このように、スライドバー本体１０Ｖと親指係合部２０をを着脱可能とすることで、例えば、同じ係合アダプタ１０ａを有する異なる形状のスライドバー本体１０Ｗを適宜交換する等、スライドバー本体を必要に応じて交換することができる。
【図面の簡単な説明】
【０００９】
【図１】実施形態に係る弦楽器用スライドバーの斜視図である。
【図２】図１のＡ−Ａ断面図である。
【図３】弦楽器用スライドバーの通常奏法時の使用状態を示す斜視図である。
【図４】（ａ）は弦楽器用スライドバーのスライド奏法時の第一の使用状態を示す斜視図であり、（ｂ）は弦楽器用スライドバーのスライド奏法時の第二の使用状態を示す斜視図である。
【図５】（ａ）（ｂ）（ｃ）は、弦楽器用スライドバーの変形例を示す斜視図である。
【図６】（ａ）（ｂ）はスライドバー本体が着脱可能に形成された弦楽器用スライドバーの変形例を示す斜視図である。
【符号の説明】
【００１０】
X    弦楽器用スライドバー
１０、１０Ｘ、１０Ｙ、１０Ｖ、１０Ｗ  スライドバー本体
１０ａ  係合アダプタ
１０ｂ  被係合アダプタ
２０、２０Ｘ  親指係合部
２１  ベルト部
２２ａ  面ファスナー係合部
２２ｂ  面ファスナー被係合部
【図１】
2008096643.tif 000003
【図２】
2008096643.tif 000004
【図３】
2008096643.tif 000005
【図４】
2008096643.tif 000006
【図５】
2008096643.tif 000007
【図６】
2008096643.tif 000008